(57)【要約】【課題】記憶媒体に記録されたＥＰＧデータ及び録画予約プログラムを利用することにより、録画予約機能を搭載しないテレビ放送受信装置でも記憶媒体や通信を介して録画予約できる。【解決手段】録画予約番組の番組情報と録画予約を行うための録画予約プログラムを記憶した記憶媒体を挿入可能なテレビ放送受信装置であって、放送信号を受信する受信手段と、記憶媒体から番組情報及び録画予約プログラムを取得する記録情報分離手段と、取得した録画予約プログラムを実行する録画予約プログラム実行手段と、を備え、録画予約プログラム実行手段は、録画予約プログラム及び番組情報に従って受信手段に録画予約番組を受信させるとともに、受信した録画予約番組を記憶媒体に記憶させる、ことを特徴とする。【選択図】図２
2011114356.tif 000002
【特許請求の範囲】
【請求項１】
録画予約番組の番組情報と録画予約を行うための録画予約プログラムを記憶した記憶媒体を挿入可能なテレビ放送受信装置であって、
放送信号を受信する受信手段と、
前記記憶媒体から前記番組情報及び前記録画予約プログラムを取得する記録情報分離手段と、
取得した前記録画予約プログラムを実行する録画予約プログラム実行手段と、を備え、
前記録画予約プログラム実行手段は、前記録画予約プログラム及び前記番組情報に従って前記受信手段に前記録画予約番組を受信させるとともに、受信した前記録画予約番組を前記記憶媒体に記憶させる、ことを特徴とするテレビ放送受信装置。
【請求項２】
操作履歴及び／または視聴履歴に応じてユーザの嗜好情報を記憶する記憶手段と、
前記嗜好情報に従って、ユーザが嗜好する番組を予測するとともに、予測した前記ユーザが嗜好する番組に対応する番組情報を前記受信手段が受信した前記放送信号から取得し前記記憶媒体に記憶させる番組推薦処理部と、を更に備えることを特徴とする請求項１に記載のテレビ放送受信装置。
【請求項３】
前記記憶媒体は、前記番組情報が存在するＵＲＩ情報を更に含む、ことを特徴とする請求項１または２のいずれかに記載のテレビ放送受信装置。
【請求項４】
録画予約番組の番組情報が存在するＵＲＩ情報及び録画予約を行うための録画予約プログラムを記憶した記憶媒体を挿入可能な携帯端末装置であって、
前記ＵＲＩ情報で示されるサーバと通信を行う通信手段と、
前記サーバから番組情報を取得するとともに、取得した番組情報を閲覧用に加工する番組情報処理手段と、
前記番組情報処理手段が加工した前記閲覧用の番組情報からユーザが録画予約した番組に関する番組情報を前記記憶媒体に記憶させる録画番組管理手段と、を備えることを特徴とする携帯端末装置。
【発明の詳細な説明】
【技術分野】
【０００１】
本発明は携帯端末装置及びテレビ放送受信装置に関し、更に詳しくは、番組を録画予約する機能を持つ携帯端末装置と、携帯端末装置が予約した番組の録画を実行する機能を持つテレビ放送受信装置に関するものである。
【背景技術】
【０００２】
従来、ユーザがテレビ番組を録画予約する場合、放送波やインターネット等の通信を介して受信されるＥＰＧ（Ｅｌｅｃｔｒｏｎｉｃ  Ｐｒｏｇｒａｍ  Ｇｕｉｄｅ）データを利用することが多い。また、ＥＰＧデータを録画コンテンツと共に記録することで、番組名や番組内容、ジャンル等の情報を利用することができる。例えば、特許文献１に記載の番組管理方法のように、ＥＰＧデータに含まれるジャンル情報を利用してコンテンツをジャンル毎に分類して管理する方法が提案されている。さらに、ハードディスクやＳＤカード、ＢＤ・ＤＶＤといった本体から取り外し可能な記憶媒体に記録して、他の機器でコンテンツを利用することも提案されている。
【先行技術文献】
【特許文献】
【０００３】
【特許文献１】特開２００４−０６４５１９号公報
【発明の概要】
【発明が解決しようとする課題】
【０００４】
しかし、上記従来の技術では、記憶媒体に記憶されたＥＰＧデータはあくまで記憶媒体に記憶された録画コンテンツの管理に用いられるものであって、コンテンツを再生する装置側（テレビ放送受信装置）での番組予約等に利用することはできないという問題があった。
また、仮に記憶媒体に記憶したＥＰＧデータをテレビ放送受信装置で利用することができたとしても、録画コンテンツとともに記憶されるＥＰＧデータは録画番組に関するデータのみであって録画番組以外の番組に関するＥＰＧデータは含まないため、録画番組以外の番組予約はできないという問題があった。
【課題を解決するための手段】
【０００５】
上記課題を解決するために、本発明のテレビ放送受信装置は、録画予約番組の番組情報と録画予約を行うための録画予約プログラムを記憶した記憶媒体を挿入可能なテレビ放送受信装置であって、放送信号を受信する受信手段と、記憶媒体から番組情報及び録画予約プログラムを取得する記録情報分離手段と、取得した録画予約プログラムを実行する録画予約プログラム実行手段と、を備え、録画予約プログラム実行手段は、録画予約プログラム及び番組情報に従って受信手段に録画予約番組を受信させるとともに、受信した録画予約番組を前記記憶媒体に記憶させる、ことを特徴とする。
また、本発明の携帯端末装置は、録画予約番組の番組情報が存在するＵＲＩ情報及び録画予約を行うための録画予約プログラムを記憶した記憶媒体を挿入可能な携帯端末装置であって、ＵＲＩ情報で示されるサーバと通信を行う通信手段と、サーバから番組情報を取得するとともに、取得した番組情報を閲覧用に加工する番組情報処理手段と、番組情報処理手段が加工した閲覧用の番組情報からユーザが録画予約した番組に関する番組情報を記憶媒体に記憶させる録画番組管理手段と、を備えることを特徴とする。
【発明の効果】
【０００６】
本発明の携帯端末装置及びテレビ受信装置によれば、記憶媒体に記録されたＥＰＧデータ及び録画予約プログラムを利用することにより、録画予約機能を搭載しないテレビ放送受信装置でも記憶媒体や通信を介して録画予約することが可能になる。さらに、テレビ放送受信装置において、番組録画時にユーザが嗜好する番組を予測し、予測した番組に関するＥＰＧデータを記憶媒体や通信を介して携帯端末装置に送信することで、携帯端末装置でもユーザが見たい番組を簡単に見つけて録画予約することができる。
【図面の簡単な説明】
【０００７】
【図１】本発明の実施の形態１にかかる記憶媒体の構成を示す図
【図２】同実施の形態にかかるテレビ放送受信装置の構成を示すブロック図
【図３】同実施の形態にかかる携帯端末装置の構成を示すブロック図
【発明を実施するための形態】
【０００８】
以下本発明を実施するための形態について、図面を参照しながら説明する。
【０００９】
（実施の形態１）
図１は、本発明の実施の形態１にかかる記憶媒体の構成を示す図である。記憶媒体２０は、ハードディスクやＳＤカード、ＢＤ・ＤＶＤといった本体から取り外し可能な記憶媒体のことを指す。記憶媒体２０は、録画した録画コンテンツ１０１と、録画した番組、録画予約した番組及びユーザが嗜好する番組のＥＰＧデータ１０２と、ＥＰＧデータのあるＷｅｂページのＵＲＩ１０３と、ＥＰＧデータを元に録画予約した番組を録画実行する録画予約プログラム１０４から構成される。ここで、録画予約した番組には、予約済み情報が付与されている。
【００１０】
図２は、本発明の実施の形態１にかかるテレビ放送受信装置の構成を示すブロック図である。テレビ放送受信装置１は、記録情報分離部２と、録画予約プログラム実行部３と、通信部４と、Ｔｕｎｅｒ制御部５と、映像／音声処理部６と、番組推薦処理部７から構成される。
【００１１】
記録情報分離部２は、記憶媒体２０から録画コンテンツ１０１とそれ以外の情報を分離する。録画予約プログラム実行部３は、記録情報分離部２が分離した情報から録画予約プログラム１０４を抽出して録画予約プログラム１０４を実行する。
【００１２】
通信部４は、携帯端末装置２３から送信される録画コンテンツ１０１や録画予約プログラム１０４を受信する。Ｔｕｎｅｒ制御部５は、録画予約実行時に、録画する放送局を選局したり、ユーザが選局した／視聴予約した放送局を選局したりする。
【００１３】
映像／音声処理部６は、記録情報分離部２が分離した録画コンテンツ１０１や、Ｔｕｎｅｒ制御部５が取得した放送データに含まれる映像データ／音声データに対して、夫々所定処理を施した後、モニタ２１／スピーカ２２へ出力する。なお、本実施の形態では、モニタ２１及びスピーカ２２をテレビ放送受信装置１と別体として記載しているが、テレビ放送受信装置１がモニタ２１及びスピーカ２２を内蔵していてもよい。
【００１４】
番組推薦処理部７は、Ｔｕｎｅｒ制御部５が取得した放送データからＥＰＧデータを抽出し、ユーザの嗜好情報に基づいてユーザが嗜好する番組を予測する。そして、予測された番組に関するＥＰＧデータを記憶媒体２０に出力する。ここで、ユーザの嗜好情報はユーザの操作履歴または視聴履歴等に基づいて予め記憶部（図示せず）に記憶されている。
【００１５】
次に、テレビ放送受信装置１の動作を説明する。テレビ放送受信装置１は、録画予約プログラム実行部３によって、記憶媒体２０から取得した録画予約プログラム１０４もしくは携帯端末装置２３から受信した録画予約プログラムをロードして実行する。録画予約プログラム１０４には、ＥＰＧデータ１０２を記憶媒体２０もしくは携帯端末装置２３から取得して、取得したＥＰＧデータ１０２に含まれる録画予約した番組に関するＥＰＧデータから番組が放送される放送局や番組の開始及び終了時刻を取得し、番組の開始時刻になったら、Ｔｕｎｅｒ制御部５を録画する放送局に選局させて記憶媒体２０もしくは携帯端末装置２３への録画を開始し、番組が終了時刻になったら録画を終了し、選局先を録画前の放送局に戻す処理が書かれている。番組推薦処理部７は、放送波で送信されるＥＰＧデータをＴｕｎｅｒ制御部５から取得し、テレビ放送受信装置１が録画予約した番組、視聴中の番組もしくは視聴予約した番組からユーザが嗜好する番組を所定ルールに則って予測し、記憶部（図示せず）に記憶させるとともに、予測した番組に関するＥＰＧデータ（ユーザが嗜好する番組のＥＰＧデータ）を記憶媒体２０へ出力する。
【００１６】
図３は、本発明の実施の形態１にかかる携帯端末装置の構成を示すブロック図である。携帯端末装置１０は、記録情報分離部１１と、コンテンツ再生部１２と、番組情報処理部１３と、通信部１４と、録画番組管理部１５から構成される。
【００１７】
記録情報分離部１１は、記憶媒体２０から録画コンテンツ１０１とそれ以外の情報を分離する。コンテンツ再生部１２は、記録情報分離部１１が分離した録画コンテンツ１０１に対して所定処理を施した後、モニタ３１／スピーカ３２へ出力する。なお、本実施の形態では、モニタ３１及びスピーカ３２を携帯端末装置１０と別体として記載しているが、携帯端末装置１０がモニタ３１及びスピーカ３２を内蔵していてもよい。
【００１８】
番組情報処理部１３は、記録情報分離部１１が分離した情報であるＥＰＧデータが存在するＵＲＩ１０３で特定されるＥＰＧデータ提供サーバ３３に通信部１４を介してアクセスして、対応するＥＰＧデータを取得して閲覧用に加工する。通信部１４は、有線／無線等のネットワークを介してＥＰＧデータ提供サーバ３３から対応するＥＰＧデータを受信したり、記憶部（図示せず）に記憶した録画コンテンツや録画予約プログラムをテレビ放送受信装置１へ送信したりする。
【００１９】
録画番組管理部１５は、番組情報処理部１３が加工した閲覧用ＥＰＧデータのうち、ユーザが入力部（図示せず）を介して指定した録画予約に関係するＥＰＧデータを管理するとともに、記憶媒体２０に録画予約に関係するＥＰＧデータを、予約済み情報を挿入して出力する。
【産業上の利用可能性】
【００２０】
本発明の携帯端末装置及びテレビ放送受信装置によれば、ＥＰＧデータを受信できない再生装置や記憶手段を内蔵しない再生装置でも簡単に番組予約／録画もしくはお好み番組の番組予約／録画を行うことが可能であるため、記憶媒体を装着可能なＡＶ装置、またはネットワークに接続可能なＡＶ装置等で有用である。
【符号の説明】
【００２１】
１    テレビ放送受信装置
２、１１    記録情報分離部
３    録画予約プログラム実行部
４、１４    通信部
５    Ｔｕｎｅｒ制御部
６    映像／音声分離部
７    番組推薦処理部
１０    携帯端末装置
１２    コンテンツ再生部
１３    番組情報処理部
１５    録画番組管理部
２０    記憶媒体
３３    ＥＰＧデータ提供サーバ
【図１】
2011114356.tif 000003
【図２】
2011114356.tif 000004
【図３】
2011114356.tif 000005